(57)【要約】【課題】天吊り金具を用いて天井等に固定設置した場合でも、ユーザになんら負担をかけることなく効率的に冷却を行なう。【解決手段】装置筐体に設けた通気口(11ａ,11ｂ,11ｃ)を介して筐体内を冷却する冷却ファン(38，38，…)を内蔵したプロジェクタ装置10と、この装置10を吊した状態で支持固定し、上記通気口の対向部位に通気方向の合致した外部冷却ファン43，43，44，44，45，45を設けたブラケット41を含む天吊り金具とを備える。【選択図】      図３
2006259289.tif 000002
【特許請求の範囲】
【請求項１】
装置筐体に設けた通気口を介して筐体内を冷却する冷却ファンを内蔵した装置本体と、
この装置本体を吊した状態で支持固定し、上記通気口の対向部位に通気方向の合致した外部冷却ファンを設けた天吊り金具と
を具備したことを特徴とする投影装置。
【請求項２】
上記天吊り金具の外部冷却ファンの動作は、上記装置本体内部から与えられる信号により制御することを特徴とする請求項１記載の投影装置。
【請求項３】
上記天吊り金具の外部冷却ファンを、上記装置本体に内蔵した冷却ファンに連動して動作させることを特徴とする請求項２記載の投影装置。
【請求項４】
上記天吊り金具は、排気口となる上記通気口の対向部位に温度センサを設けたことを特徴とする請求項１記載の投影装置。
【請求項５】
上記天吊り金具は、少なくとも上記装置本体の上面を覆う網状カバーを有することを特徴とする請求項１記載の投影装置。
【請求項６】
装置筐体に設けた通気口を介して筐体内を冷却する冷却ファンを内蔵した投影装置用天吊り金具であって、
上記投影装置を吊した状態で支持固定し、上記通気口の対向部位に通気方向の合致した外部冷却ファンを設けたことを特徴とする投影装置用天吊り金具。
【請求項７】
装置筐体に設けた通気口を介して筐体内を冷却する冷却ファンを内蔵した投影装置に対し、
この投影装置を吊した状態で支持固定する天吊り金具の、上記通気口の対向部位に通気方向を合致させて設けた外部冷却ファンの動作を上記投影装置内部から与える信号により制御する
ことを特徴とする投影装置の運転制御方法。
【発明の詳細な説明】
【技術分野】
【０００１】
本発明は、特に天井等に固定設置して使用するプロジェクタ装置に好適な投影装置、投影装置用天吊り金具及び投影装置の運転制御方法に関する。
【背景技術】
【０００２】
天吊り型の液晶プロジェクタで、吊した状態でのスクリーンへの投射画面位置の微調整を可能とした構成を有するものが考えられている。（例えば、特許文献１）
【特許文献１】特開平９−１６６９６４号公報
【発明の開示】
【発明が解決しようとする課題】
【０００３】
上記特許文献１に記載された技術を含み、特に本格的なオーディオ／ビデオ愛好者等の間では、自宅内の一室をホームシアターとし、プロジェクタを天吊り金具により天井に固定設置して、大型のスクリーンに映像を投影表示する使用法が広く行なわれている。
【０００４】
しかしながら、室内中でも天井の近くは最も温度が高くなる場所であり、プロジェクタ自体が光源に高圧水銀等の非常に高熱となるランプを使用しているために積極的な冷却動作が不可欠であることを考えると、決してよい設置環境とは言えず、高価な光源ランプの破損に至ってしまう可能性も高いなど、不具合が多い。
【０００５】
そのため、室内の空気を循環させるべく、高所用の扇風機やエア・サキュレータ、あるいは天井取付け型のシーリングファンを用いることも考えられるが、いずれもプロジェクタに対して離れた位置から送風を行なうので、プロジェクタ以外に大がかりな装置が必要となる割には、プロジェクタの冷却効果は小さいものと思われ、またユーザがプロジェクタの状態を随時判断してそれら外部の装置を適切に運転しなくてはならないなど、ユーザの負担も大きくなる。
【０００６】
本発明は上記のような実情に鑑みてなされたもので、その目的とするところは、天吊り金具を用いて天井等に固定設置した場合でも、ユーザになんら負担をかけることなく効率的に冷却を行なうことが可能な投影装置、投影装置用天吊り金具及び投影装置の運転制御方法を提供することにある。
【課題を解決するための手段】
【０００７】
請求項１記載の発明は、装置筐体に設けた通気口を介して筐体内を冷却する冷却ファンを内蔵した装置本体と、この装置本体を吊した状態で支持固定し、上記通気口の対向部位に通気方向の合致した外部冷却ファンを設けた天吊り金具とを具備したことを特徴とする。
【０００８】
請求項２記載の発明は、上記請求項１記載の発明において、上記天吊り金具の外部冷却ファンの動作は、上記装置本体内部から与えられる信号により制御することを特徴とする。
【０００９】
請求項３記載の発明は、上記請求項２記載の発明において、上記天吊り金具の外部冷却ファンを、上記装置本体に内蔵した冷却ファンに連動して動作させることを特徴とする。
【００１０】
請求項４記載の発明は、上記請求項１記載の発明において、上記天吊り金具は、排気口となる上記通気口の対向部位に温度センサを設けたことを特徴とする。
【００１１】
請求項５記載の発明は、上記請求項１記載の発明において、上記天吊り金具は、少なくとも上記装置本体の上面を覆う網状カバーを有することを特徴とする。
【００１２】
請求項６記載の発明は、装置筐体に設けた通気口を介して筐体内を冷却する冷却ファンを内蔵した投影装置用天吊り金具であって、上記投影装置を吊した状態で支持固定し、上記通気口の対向部位に通気方向の合致した外部冷却ファンを設けたことを特徴とする。
【００１３】
請求項７記載の発明は、装置筐体に設けた通気口を介して筐体内を冷却する冷却ファンを内蔵した投影装置に対し、この投影装置を吊した状態で支持固定する天吊り金具の、上記通気口の対向部位に通気方向を合致させて設けた外部冷却ファンの動作を上記投影装置内部から与える信号により制御することを特徴とする。
【発明の効果】
【００１４】
請求項１記載の発明によれば、装置内部の冷却ファンと天吊り金具に設けた外部冷却ファンとで協働して投影装置内の冷却を効率的に促進することができる。
【００１５】
請求項２記載の発明によれば、上記請求項１記載の発明の効果に加えて、外部冷却ファンの動作を投影装置内部からの信号により制御させることで、ユーザの負担を軽減できる。
【００１６】
請求項３記載の発明によれば、上記請求項２記載の発明の効果に加えて、外部冷却ファンの動作制御を単純化してユーザ及び投影装置の負担を軽減できる。
【００１７】
請求項４記載の発明によれば、上記請求項１記載の発明の効果に加えて、該温度センサの検知出力により必要に応じて外部冷却ファンの動作を制御できるため、不必要な外部冷却ファンの動作を抑制して騒音の低減を図ることができる。
【００１８】
請求項５記載の発明によれば、上記請求項１記載の発明の効果に加えて、投影装置の上面に塵埃等が付着し、通気口が目詰まりしてしまうのを阻止して、常に投影装置内の冷却を確実に継続することができる。
【００１９】
請求項６記載の発明によれば、装置内部の冷却ファンと天吊り金具に設けた外部冷却ファンとで協働して投影装置内の冷却を効率的に促進させることができる。
【００２０】
請求項７記載の発明によれば、装置内部の冷却ファンと天吊り金具に設けた外部冷却ファンとで協働して投影装置内の冷却を効率的に促進させることができる。
【発明を実施するための最良の形態】
【００２１】
（第１の実施の形態）  
以下本発明をプロジェクタ装置に適用した場合の第１の実施の形態について図面を参照して説明する。
【００２２】
図１は、同実施の形態に係るプロジェクタ装置１０の外観構成を示すもので、図１（Ａ）は主として筐体前面及び上面の、図１（Ｂ）は筐体背面及び下面のそれぞれ配置構成を示す。
【００２３】
図１（Ａ）に示すように、略直方体状の本体ケーシング１１の前面に、投影レンズ１２及びＩｒ受光部１３が配設される。
【００２４】
投影レンズ１２は、後述するマイクロミラー素子等の空間的光変調素子で形成された光像をスクリーン等の対象に投影するためのものであり、ここでは合焦位置及びズーム位置（投影画角）を任意に可変できるものとする。
【００２５】
Ｉｒ受光部１３は、図示しないこのプロジェクタ装置１０のリモートコントローラからのキー操作信号が重畳された赤外光（Ｉｒ）信号を受信する。
【００２６】
また、本体ケーシング１１の上面には、スイッチ部１４及びスピーカ１５が配設される。  
スイッチ部１４は、例えば電源キー、ＡＦ／ＡＫ（Ａｕｔｏｍａｔｉｃ  Ｆｏｃｕｓ／Ａｕｔｏｍａｔｉｃ  Ｋｅｙｓｔｏｎｅ  ｃｏｒｒｅｃｔｉｏｎ：自動合焦／自動台形補正）キー、ズームアップ／ダウンキー、信号選択キー、ボリュームアップ／ダウンキー、カーソルキー等からなる。
【００２７】
スピーカ１５は、入力された音声信号及び動作時のビープ音等を拡声放音する。
【００２８】
また、図１（Ｂ）に示すように本体ケーシング１１の背面には、入出力コネクタ部１６、Ｉｒ受光部１７、ＡＣアダプタ接続部１８、及び外部ファン接続部１９が配設される。  
入出力コネクタ部１６は、例えばパーソナルコンピュータ等の外部装置との接続のためのＵＳＢ端子、映像入力用のミニＤ−ＳＵＢ端子、Ｓ端子、及びＲＣＡ端子と、音声入力用のステレオミニ端子等からなる。
【００２９】
Ｉｒ受光部１７は、上記Ｉｒ受光部１３と同様に、図示しないリモートコントローラからのキー操作信号が重畳された赤外光（Ｉｒ）信号を受信する。  
ＡＣアダプタ接続部１８は、電源となる図示しないＡＣアダプタからのＡＣケーブルを接続する。
【００３０】
外部ファン接続部１９は、後述する天吊り金具に設けられた外部冷却ファンと接続され、それらの動作制御を行なうためのものである。
【００３１】
さらに、本体ケーシング１１の下面には、後端側両端に２本、前端側中央に１本、計３本のそれぞれ高さ調節が可能な調整脚部２０ａ〜２０ｃが取り付けられる。これら調整脚部２０ａ〜２０ｃは、後述する天吊り金具取付け時には、固定長の取付け金具に付け替えられる。
【００３２】
なお、上記図１（Ａ）及び図１（Ｂ）に示す如く、本体ケーシング１１の左側面、右側面、及び底面にはそれぞれ複数の通気口１１ａ,１１ｂ,１１ｃが形成されており、内部に形成されたここでは図示しない複数の冷却ファンの動作により吸気口あるいは排気口として機能する。
【００３３】
次に図２により上記プロジェクタ装置１０の電子回路の機能構成について説明する。  
図中、入出力コネクタ部１６より入力された各種規格の画像信号が、入出力インタフェース（Ｉ／Ｆ）２１、システムバスＳＢを介して画像変換部２２で所定のフォーマットの画像信号に統一された後に、投影エンコーダ２３へ送られる。
【００３４】
投影エンコーダ２３は、送られてきた画像信号をビデオＲＡＭ２４に展開記憶させた上でこのビデオＲＡＭ２４の記憶内容からビデオ信号を生成して投影駆動部２５に出力する。
【００３５】
この投影駆動部２５は、送られてきた画像信号に対応して適宜フレームレート、例えば例えば６０［フレーム／秒］と色成分の分割数、及び表示階調数を乗算した、より高速な時分割駆動で空間的光変調素子（ＳＯＭ）２６である例えばマイクロミラー素子を表示駆動する。
【００３６】
この空間的光変調素子２６に対して、リフレクタ２７内に配置された高圧水銀灯でなる光源ランプ２８が出射する高輝度の白色光を、カラーホイール２９を介して適宜原色に着色し、インテグレータ３０で輝度分布を均一化した光束とし、ミラー３１を介して照射することで、その反射光で光像が形成され、上記投影レンズ１２を介してここでは図示しないスクリーンに投影表示される。
【００３７】
しかるに、光源ランプ２８の点灯駆動と、カラーホイール２９を回転駆動するモータ（Ｍ）３２の回転駆動をいずれも投影光処理部３３が実行する。
【００３８】
上記各回路のすべての動作制御を司るのが制御部３４である。この制御部３４は、ＣＰＵと、後述する投影動作、撮影動作の処理を含む該ＣＰＵで実行される動作プログラムを記憶した不揮発性メモリ、及びワークメモリ等により構成される。
【００３９】
この制御部３４にはまた、システムバスＳＢを介して外部ファン制御部３５、内蔵ファン駆動部３６、及び音声処理部３７が接続される。
【００４０】
外部ファン制御部３５は、上記外部ファン接続部１９を介して接続される天吊り金具に設けられた複数の外部冷却ファンの動作状態を制御するものであり、図示はしていないが上記外部ファン接続部１９と複数の外部冷却ファンがコードなどで電気的に接続されるものである。
【００４１】
また該天吊り金具に温度センサが設けられる場合にはその検知信号を入力して上記制御部３４へ通知する。この場合、さらに温度センサも上記外部ファン接続部１９とコードなどで電気的に接続される。
【００４２】
内蔵ファン駆動部３６は、このプロジェクタ装置１０内の上記通気口１１ａ,１１ｂ,１１ｃに対向する位置に備えられた複数の冷却ファン３８，３８，‥‥を駆動し、プロジェクタ装置１０内の特に発熱源である上記光源ランプ２８を中心に冷却させる。
【００４３】
音声処理部３７は、ＰＣＭ音源等の音源回路を備え、投影動作時に与えられる音声データをアナログ化し、上記スピーカ１５を駆動して拡声放音し、あるいは必要によりビープ音を発生させる。
【００４４】
なお、上記キースイッチ部１６における各キー操作信号が直接制御部３６に入力されると共に、上記Ｉｒ受光部１３,１７からの信号も直接入力される。
【００４５】
次いで、図３によりプロジェクタ装置１０を天井等に固定設置するための天吊り金具に取付けた状態を示す。同図で、天吊り金具の主構成要素であるブラケット４１は、プロジェクタ装置１０の底面及び両側面に対応した略断面コ字状の金具であり、図示する如くプロジェクタ装置１０を上下逆に設置し、通気口１１ｃを形成した底面を天井に向けるようにして取付ける。
【００４６】
この取付けに際しては、上記プロジェクタ装置１０底面の調整脚部２０ａ〜２０ｃに代えて、固定長の取付け金具４２ａ〜４２ｃを用いる。これら取付け金具４２ａ〜４２ｃは、具体的には皿ねじ及びスペーサよりなり、それぞれ皿ねじをブラケット４１に形成された図示しない貫通孔を介してプロジェクタ装置１０の取付け側とは反対側から挿入し、円筒状のスペーサを介して上記調整脚部２０ａ〜２０ｃが取付けてあったねじ孔に螺合、締結することでプロジェクタ装置１０をブラケット４１に固定的に支持させるものとなる。
【００４７】
なお、このブラケット４１を天井等に固定設置するベース部の構成、及びそのベース部とブラケット４１とを接続し、ブラケット４１に一体に取付けられたプロジェクタ装置１０の投影方向を調整する回動機構の構成等については、一般的な天吊り金具と同様であるものとしてその図示と説明とを省略する。
【００４８】
しかるに、上記ブラケット４１の上記通気口１１ａ,１１ｂ,１１ｃと対向する部位にはそれぞれ外部冷却ファン４３，４３，４４，４４，４５，４５を配設する。
【００４９】
これら外部冷却ファン４３，４３，４４，４４，４５，４５は、プロジェクタ装置１０の通気口１１ａ,１１ｂ,１１ｃを介してここでは図示しない冷却ファン３８，３８，‥‥と対峙するようにして近接配置するものであり、且つそれぞれ対峙する冷却ファン３８，３８，‥‥の吸排気方向に合致するようにその回転方向を設定するものである。
【００５０】
上記のような構成にあって、プロジェクタ装置１０をブラケット４１を含む天吊り金具により室内の天井付近に固定設置し、各電源系及び画像信号系の配線を接続して投影動作を実行する場合には、制御部３４が投影光処理部３３により光源ランプ２８を点灯駆動させるのに先立って内蔵ファン駆動部３６により冷却ファン３８，３８，‥‥を回転駆動させ、プロジェクタ装置１０内部の特に光源ランプ２８を中心とした冷却動作を実行させる。
【００５１】
このとき冷却ファン３８，３８，‥‥の回転駆動と同時に制御部３４は、内外のファンを連動して動作するものとし、外部ファン制御部３５を介して外部ファン接続部１９に接続された天吊り金具側の動作スイッチをオン投入し、上記外部冷却ファン４３，４３，４４，４４，４５，４５を一斉に回転駆動させる。
【００５２】
上述した如く、外部冷却ファン４３，４３，４４，４４，４５，４５はいずれも対峙する冷却ファン３８，３８，‥‥と吸排気方向を合致したものとし、プロジェクタ装置１０内部に設けられた冷却ファン３８，３８，‥‥の駆動のみによる冷却風量に比して、その吸排気効率を向上して冷却風量を大幅に増加させる。
【００５３】
したがって、特に冬季の室内で暖房器具の使用により天井付近の空気温度が高くなり、天井に近い位置に天吊り金具により固定設置されたプロジェクタ装置１０の効率的な冷却が必要とされる場合であっても、プロジェクタ装置１０内部の冷却ファン３８，３８，‥‥とブラケット４１に設けた外部冷却ファン４３，４３，４４，４４，４５，４５とで協働し、プロジェクタ装置１０内を通過する風量を大幅に増加させることで、プロジェクタ装置１０内部を充分に冷却することができる。
【００５４】
このように、プロジェクタ装置１０内部の冷却ファン３８，３８，‥‥と天吊り金具のブラケット４１に設けた外部冷却ファン４３，４３，４４，４４，４５，４５とで協働して冷却風量を大幅に増加させ、プロジェクタ装置１０内の冷却を効率的に促進できる。
【００５５】
加えて、外部冷却ファン４３，４３，４４，４４，４５，４５の動作はプロジェクタ装置１０内部の外部ファン制御部３５からの信号により制御させることで、ユーザは特に外部冷却ファン４３，４３，４４，４４，４５，４５の動作について意識する必要がなく、取扱い上の負担を軽減できる。
【００５６】
さらに、外部冷却ファン４３，４３，４４，４４，４５，４５をプロジェクタ装置１０内部の冷却ファン３８，３８，‥‥と連動して動作するものとしたので、外部冷却ファン４３，４３，４４，４４，４５，４５の動作制御を単純化してプロジェクタ装置１０の制御部３４及びこの制御部３４の下に動作する外部ファン制御部３５の負担を軽減できる。
【００５７】
（第２の実施の形態）  
以下本発明をプロジェクタ装置に適用した場合の第２の実施の形態について図面を参照して説明する。
【００５８】
なお、プロジェクタ装置の外観構成については上記図１と、電子回路の機能構成については上記図２とそれぞれ基本的に同様であるので、同一部分には同一符号を用いるものとしてその図示及び説明は省略するものとする。
【００５９】
図４は、プロジェクタ装置１０を天井等に固定設置するための天吊り金具に取付けた状態を示す。同図で、天吊り金具の主構成要素であるブラケット５１は、プロジェクタ装置１０の底面及び左側面に対応した略断面Ｌ字状の金具であり、図示する如くプロジェクタ装置１０を上下逆に設置し、通気口１１ｃを形成した底面を天井に向けるようにして取付ける。
【００６０】
この取付けに際しては、上記プロジェクタ装置１０底面の調整脚部２０ａ〜２０ｃに代えて、固定長の取付け金具５２ａ〜５２ｃを用いる。これら取付け金具５２ａ〜５２ｃは、具体的には皿ねじ及びスペーサよりなり、それぞれ皿ねじをブラケット５１に形成された図示しない貫通孔を介してプロジェクタ装置１０の取付け側とは反対側から挿入し、円筒状のスペーサを介して上記調整脚部２０ａ〜２０ｃが取付けてあったねじ孔に螺合、締結することでプロジェクタ装置１０をブラケット５１に固定的に支持させるものとなる。
【００６１】
なお、このブラケット５１を天井等に固定設置するベース部の構成、及びそのベース部とブラケット５１とを接続し、ブラケット５１に一体に取付けられたプロジェクタ装置１０の投影方向を調整する回動機構の構成等については、一般的な天吊り金具と同様であるものとしてその図示と説明とを省略する。
【００６２】
しかるに、上記ブラケット５１の上記通気口１１ｂ,１１ｃと対向する部位にはそれぞれ外部冷却ファン５３，５３，５４，５４を配設する。
【００６３】
これら外部冷却ファン５３，５３，５４，５４は、プロジェクタ装置１０の通気口１１ｂ,１１ｃを介してここでは図示しない冷却ファン３８，３８，‥‥と対峙するようにして近接配置するものであり、且つそれぞれ対峙する冷却ファン３８，３８，‥‥の吸排気方向に合致するようにその回転方向を設定するものである。
【００６４】
ここでは、本体ケーシング１１左側面に対応して設けられた冷却ファン３８，３８及びこれに対向する外部冷却ファン５３，５３がプロジェクタ装置１０内部に冷却風を導入する吸気ファンとして機能し、本体ケーシング１１底面に対応して設けられた冷却ファン３８，３８及びこれに対向する外部冷却ファン５４，５４がプロジェクタ装置１０内部から冷却風を導出する排気ファンとして機能するものとする。
【００６５】
しかるに、排気ファンとして機能する外部冷却ファン５４，５４の近傍にそれぞれ温度センサ５５，５５を設け、これら温度センサ５５，５５の検知出力を上記外部ファン接続部１９を介して外部ファン制御部３５に送出するものとする。
【００６６】
上記のような構成にあって、外部ファン制御部３５はこのプロジェクタ装置１０の電源オン時当初から、上記温度センサ５５，５５からの検出温度が、予め設定した温度閾値より高くなったか否かを繰返し判断することで排気温度をモニタする。
【００６７】
しかして、温度センサ５５，５５からの検出温度の少なくとも一方が予め設定した閾値を超えたと判断した時点で、外部ファン制御部３５は外部冷却ファン５３，５３，５４，５４の動作をオン設定させ、プロジェクタ装置１０内部の冷却ファン３８，３８，‥‥の冷却動作をより促進するようにする。
【００６８】
これと共に外部ファン制御部３５は、今度は上記温度センサ５５，５５からの検出温度が予め設定した温度閾値以下となるのを待機する。
【００６９】
そして、外部冷却ファン５３，５３，５４，５４の動作によりプロジェクタ装置１０内の冷却が促進され、その排気温度が上記温度閾値以下となった時点で温度センサ５５，５５からの検出温度によりこれを判断し、一旦外部冷却ファン５３，５３，５４，５４の駆動を停止して、再び外部冷却ファン５３，５３，５４，５４からの検出温度が上記閾値を超えるのを待機するようになるものである。
【００７０】
このように、排気側の外部冷却ファン５４，５４近傍に設けた温度センサ５５，５５の検出する温度情報を用いることで、外部冷却ファン５３，５３，５４，５４の動作をきめ細かく制御して必要と思われる状態でのみ駆動させるものとした。これにより、不必要に外部冷却ファン５３，５３，５４，５４が動作するのを抑制して騒音の低減を図ることができる。
【００７１】
（第３の実施の形態）  
以下本発明をプロジェクタ装置に適用した場合の第３の実施の形態について図面を参照して説明する。
【００７２】
なお、プロジェクタ装置の外観構成については上記図１と、電子回路の機能構成について波上記図２と基本的に同様であるものとして、同一部分には同一符号を付してその図示及び説明は省略するものとする。
【００７３】
図５は、プロジェクタ装置１０を天井等に固定設置するための天吊り金具に取付けた状態を示すもので、天吊り金具の主構成要素であるブラケット５１自体は上記図４で示したものとその形状、取付け方法等は同様であるので、同一部分には同一符号を用いてその説明は省略する。
【００７４】
さらに、プロジェクタ装置１０の底面側に相当する、ブラケット５１の上面の一部を用いて、取付け状態では上側となるプロジェクタ装置１０の底面全面と左右両側面とを覆うような、断面コ字状の網状カバー６１を形成する。
【００７５】
この網状カバー６１は、例えばコーナー部と周端の各辺とを金具で補強してそのほぼ全面に非常に目の細かい金属製のメッシュを張設するようにしたもので、一旦室内の天井に取付けられると掃除等がしづらくなることを勘案し、プロジェクタ装置１０の通気口１１ａ,１１ｂ,１１ｃに埃等が進入し、あるいはそれらにより目詰まり等を起こすことがないよう、塵埃フィルタとして機能するものである。
【００７６】
上記のような構成とすれば、取付け状態で上面となるプロジェクタ装置１０の底面等に直接塵埃等が付着し、あるいはその塵埃等により通気口１１ａ,１１ｂ,１１ｃが目詰まりしてしまうのを阻止して、常にプロジェクタ装置１０の冷却を確実に継続することができる。
【００７７】
なお、上記網状カバー６１の形状や使用する素材等は上記第３の実施の形態に限るものではなく、取付け状態でプロジェクタ装置１０の少なくとも上面を覆うものであればよいが、本実施の形態で示した如く該上面に加えて、通気口１１ａ,１１ｂを設けた両側面も覆うようにすることで、より塵埃フィルタとしての効果を確実に奏するものとなる。
【００７８】
また、上記第１乃至第３の実施の形態はいずれも、プロジェクタ装置を室内の天井面に取付けるものとして説明したが、本発明はこれに限らず、室内の側壁面に取付ける場合にも同様に対応し得る。
【００７９】
その他、本発明は上記実施の形態に限らず、その要旨を逸脱しない範囲内で種々変形して実施することが可能であるものとする。
【００８０】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８１】
【図１】本発明の第１の実施の形態に係るプロジェクタ装置の外観構成を示す斜視図。
【図２】同実施の形態に係る電子回路の機能構成を示すブロック図。
【図３】同実施の形態に係る天吊り金具取付け時の状態を示す図。
【図４】本発明の第２の実施の形態に係るプロジェクタ装置の天吊り金具取付け時の状態を示す図。
【図５】本発明の第３の実施の形態に係るプロジェクタ装置の天吊り金具取付け時の状態を示す図。
【符号の説明】
【００８２】
１０…プロジェクタ装置、１１…本体ケーシング、１１ａ,１１ｂ,１１ｃ…通気口、１２…投影レンズ、１３…Ｉｒ受光部、１４…スイッチ部、１５…スピーカ、１６…入出力コネクタ部、１７…Ｉｒ受光部、１８…ＡＣアダプタ接続部、１９…外部ファン接続部、２０ａ〜２０ｄ…調整脚部、２１…入出力インタフェース（Ｉ／Ｆ）、２２…画像変換部、２３…投影エンコーダ、２４…ビデオＲＡＭ、２５…投影駆動部、２６…空間的光変調素子（ＳＯＭ）、２７…リフレクタ、２８…光源ランプ、２９…カラーホイール、３０…インテグレータ、３１…ミラー、３２…モータ（Ｍ）、３３…投影光処理部、３４…制御部、３５…外部ファン制御部、３６…内蔵ファン駆動部、３７…音声処理部、３８…冷却ファン、４１…ブラケット、４２ａ〜４２ｃ…取付け金具、４３〜４５…外部冷却ファン、５１…ブラケット、５２ａ〜５２ｃ…取付け金具、５３，５４…外部冷却ファン、５５…温度センサ、６１…網状カバー、ＳＢ…システムバス。
【図１】
2006259289.tif 000003
【図２】
2006259289.tif 000004
【図３】
2006259289.tif 000005
【図４】
2006259289.tif 000006
【図５】
2006259289.tif 000007